(57)【特許請求の範囲】
【請求項１】
水圧が作用する構造物の目地構造であって、
第１の端面と水圧が作用する第１の表面とを含む第１の構造部材と、
前記第１の端面に対面する第２の端面と水圧が作用する第２の表面とを含み、前記第１の構造部材に対する相対的な位置が変化する第２の構造部材と、
水圧が作用する第３の表面を含み、前記第１の端面と前記第２の端面との間に形成された目地に配置されるように前記第１の端面に対して水密に取り付けられると共に前記第２の端面に対して水密に取り付けられた止水部と、
前記止水部の裏面と対面する第４の表面を含み、前記目地に配置された滑り部と、
前記滑り部の裏面と対面する第５の表面を含み、前記目地に配置されるように前記第１の端面に対して取り付けられると共に前記第２の端面に対して取り付けられた支持部と、を備え、
前記滑り部の前記第４の表面と前記止水部の裏面との間、及び、前記滑り部の裏面と前記支持部の前記第５の表面との間の少なくとも一方は、一方の面に対して他方の面が滑り可能であり、
前記支持部の剛性は、前記止水部の剛性よりも大きく、
前記止水部は、最大荷重時の伸び率が１０００％以上１２００％以下のシリコーンにより形成され、
前記滑り部は、シート状のポリエチレンにより形成され、
前記支持部は、発泡合成樹脂により形成され、
前記支持部は、前記第３の表面に作用する水圧に起因する前記止水部の変形を妨げる、目地構造。
【請求項２】
前記支持部は、前記目地に充填された樹脂材料により形成される、請求項１に記載の目地構造。
【請求項３】
前記第１の構造部材は、前記第１の表面を含むコンクリート製の本体部と、前記第１の端面を含む金属板と、を有し、
前記止水部は、前記金属板に対して水密に取り付けられ、
前記支持部は、前記金属板に対して取り付けられる、請求項１又は２に記載の目地構造。
【請求項４】
前記第１の端面は、前記止水部が取り付けられる第１の止水取付部と、前記支持部が取り付けられる第１の支持取付部と、を有し、
前記第２の端面は、前記第１の止水取付部と対面すると共に前記止水部が取り付けられる第２の止水取付部と、前記第１の支持取付部と対面すると共に前記支持部が取り付けられる第２の支持取付部と、を有し、
前記第１の止水取付部から前記第２の止水取付部までの距離は、前記第１の支持取付部から前記第２の支持取付部までの距離よりも長い、請求項１又は２に記載の目地構造。
【請求項５】
前記第１の端面は、前記止水部が取り付けられる第３の止水取付部と、前記支持部が取り付けられる第３の支持取付部と、を有し、
前記第２の端面は、前記第３の止水取付部と対面すると共に前記止水部が取り付けられる第４の止水取付部と、前記第３の支持取付部と対面すると共に前記支持部が取り付けられる第４の支持取付部と、を有し、
前記第３の止水取付部から前記第４の止水取付部までの距離は、前記第３の支持取付部から前記第４の支持取付部までの距離よりも短い、請求項１又は２に記載の目地構造。
【請求項６】
前記第１の構造部材における第１の裏面の側に設けられ、前記第１の端面から前記第２の端面に向かって突出する第１の突起と、
前記第２の構造部材における第２の裏面の側に設けられ、前記第２の端面から前記第１の端面に向かって突出する第２の突起と、を更に備える、請求項１〜５のいずれか一項に記載の目地構造。
【請求項７】
前記支持部は、空隙部を含んでいる、請求項１〜６のいずれか一項に記載の目地構造。
【請求項８】
前記支持部は、複数のバックアップ層と縁切り層とを含む積層構造を有している、請求項１〜６のいずれか一項に記載の目地構造。
【請求項９】
前記支持部は、前記目地の奥行方向に互いに離間して配置された複数の発泡合成樹脂部を含んでいる、請求項１〜６のいずれか一項に記載の目地構造。
【発明の詳細な説明】
【技術分野】
【０００１】
本発明は、水圧が作用する構造物に適用される目地構造に関する。
【背景技術】
【０００２】
特許文献１，２及び３には、止水機能を有する継手構造が開示されている。特許文献１の止水継手では、一方の構造物と他方の構造物との間に形成された目地に目地材が充填される。特許文献２の止水継手では、構造物である一対の監査廊本体の間に形成された目地に液状ゴムが充填される。特許文献３の接続構造では、一方の地下構造物と他方の地下構造物との接続部に接続装置が挟み込まれる。
【先行技術文献】
【特許文献】
【０００３】
【特許文献１】特開２０１１−５８２３２号公報
【特許文献２】特開平６−２５７６９１号公報
【特許文献３】特開平１１−３５０８８８号公報
【発明の概要】
【発明が解決しようとする課題】
【０００４】
特許文献１，２及び３に開示されたような止水機能を有する継手構造では、一方の構造物と他方の構造物との間に柔軟性を有する材料により形成された止水部品が配置されている。止水部品は、一方の構造物に対して他方の構造物の位置が変化した場合に当該変化に追従するように変形するので、目地における止水性能を確保できる。しかし、構造物の比較的大きな位置変化が生じた場合には、止水部品が当該位置変化に追従することができなくなり、止水性能を確保できなくなるおそれがある。
【０００５】
そこで、本発明は、一方の構造物に対して他方の構造物の位置が比較的大きく変化した場合であっても、止水性能を確保できる構造物の目地構造を提供することを目的とする。
【課題を解決するための手段】
【０００６】
本発明の一形態は、水圧が作用する構造物の目地構造であって、第１の端面と水圧が作用する第１の表面とを含む第１の構造部材と、第１の端面に対面する第２の端面と水圧が作用する第２の表面とを含み、第１の構造部材に対する相対的な位置が変化する第２の構造部材と、水圧が作用する第３の表面を含み、第１の端面と第２の端面との間に形成された目地に配置されるように第１の端面に対して水密に取り付けられると共に第２の端面に対して水密に取り付けられた止水部と、止水部の裏面と対面する第４の表面を含み、目地に配置された滑り部と、滑り部の裏面と対面する第５の表面を含み、目地に配置されるように第１の端面に対して取り付けられると共に第２の端面に対して取り付けられた支持部と、を備え、滑り部の第４の表面と止水部の裏面との間、及び、滑り部の裏面と支持部の第５の表面との間の少なくとも一方は、一方の面に対して他方の面が滑り可能であり、支持部は、第３の表面に作用する水圧に起因する止水部の変形を妨げる。
【０００７】
目地構造では、第１の構造部材と第２の構造部材との間に目地が形成されている。当該目地には、水圧が作用する側から止水部と滑り部と支持部とがこの順に配置されている。止水部は、第１の構造部材と第２の構造部材とに対して水密に取り付けられているので、目地構造は止水部によって止水性を確保できる。ここで、第１の構造部材に対して第２の構造部材の位置が変化した場合に、止水性を確保し続けるためには、止水部が位置変化に対応して変形する必要がある。このような変形によれば、第１の構造部材における第１の端面と止水部との間の水密状態と、第２の構造部材における第２の端面と止水部との間の水密状態とが確保されるので、止水性を確保し続けることができる。そうすると、第１の構造部材と第２の構造部材との間における比較的大きい位置の変化に対応するためには、止水部の許容可能な伸び量を高めればよい。一方、止水部の許容可能な伸び量が高い場合には、止水部の第３の表面に水圧が作用したときに止水部が変形しやすくなり、構造部材と止水部との水密状態を確保できなくなる虞がある。しかし、この目地構造では、水圧による止水部の変形が支持部によって妨げられるので、伸び量の高い止水部を適用しても構造部材と止水部との水密状態を確保し続けることができる。従って、支持部を備える目地構造によれば、止水部の伸び量を高めることができるので、比較的大きい構造部材の位置変化が生じたときに止水性を確保し続けることができる。さらに、止水部と支持部との間には滑り部が設けられているので、第１の構造部材に対する第２の構造部材の位置変化に起因して止水部が変形するとき、止水部は支持部に対して滑り部によって縁が切られた状態である。従って、止水部の変形に対して支持部の変形が影響を及ぼすことがない。よって、止水部と支持部との間に滑り部を備える目地構造によれば、止水部における高い伸び量を確保することができるので、比較的大きい構造部材の位置変化が生じたときに止水性をより良好に確保し続けることができる。
【０００８】
支持部の剛性は、止水部の剛性よりも大きくてもよい。この構成によれば、剛性が高い支持部の方が止水部よりも変形しにくい。従って、水圧に起因する止水部の変形を良好に妨げることができる。
【０００９】
止水部は、シリコーンにより形成されてもよい。シリコーンにより形成された止水部によれば、高い伸び量を確保することができる。
【００１０】
支持部は、目地に充填された樹脂材料により形成されてもよい。第１の構造部材に対する第２の構造部材の位置変化は、第１の端面に対して第２の端面が離間又は近接する変化と、第１の端面に対して第２の端面が鉛直方向にずれる変化と、第１の端面に対して第２の端面が水平方向にずれる変化と、を含む。目地に樹脂材料が充填された支持部によれば、これら３つの態様を含む位置変化に良好に対応することができる。
【００１１】
第１の構造部材は、第１の表面を含むコンクリート製の本体部と、第１の端面を含む金属板と、を有し、止水部は、金属板に対して水密に取り付けられ、支持部は、金属板に対して取り付けられてもよい。この構造によれば、止水部及び支持部を取り付け可能な程度にコンクリートが硬化する時間よりも早く、止水部及び支持部を第１の構造部材に対して取り付ける施工が可能になる。従って、目地構造の施工期間を短縮することができる。
【００１２】
第１の端面は、止水部が取り付けられる第１の止水取付部と、支持部が取り付けられる第１の支持取付部と、を有し、第２の端面は、第１の止水取付部と対面すると共に止水部が取り付けられる第２の止水取付部と、第１の支持取付部と対面すると共に支持部が取り付けられる第２の支持取付部と、を有し、第１の止水取付部から第２の止水取付部までの距離は、第１の支持取付部から第２の支持取付部までの距離よりも長くてもよい。この構造によれば、第１の構造部材及び第２の構造部材に止水部の裏面と接触可能な切り欠き部が形成される。そうすると、止水部と第１の構造部材及び第２の構造部材とが接触する面積が増加するので、第１の構造部材及び第２の構造部材への止水部の取付強度を高めることができる。
【００１３】
第１の端面は、止水部が取り付けられる第３の止水取付部と、支持部が取り付けられる第３の支持取付部と、を有し、第２の端面は、第３の止水取付部と対面すると共に止水部が取り付けられる第４の止水取付部と、第３の支持取付部と対面すると共に支持部が取り付けられる第４の支持取付部と、を有し、第３の止水取付部から第４の止水取付部までの距離は、第３の支持取付部から第４の支持取付部までの距離よりも短くてもよい。ここで、止水部及び支持部の伸び量は、それぞれの伸び率と幅とに基づく。この構造によれば、第３の支持取付部と第４の支持取付部との間に設けられた支持部の幅は、第３の止水取付部と第４の止水取付部との間に設けられた止水部の幅よりも大きい。そうすると、支持部の伸び率が止水部の伸び率と同じ場合には、変形に起因して支持部に生じる負荷が小さくなる。従って、第１の構造部材に対する支持部の取付状態、及び第２の構造部材に対する支持部の取付状態を良好に維持することができる。
【発明の効果】
【００１４】
本発明によれば、一方の構造物に対して他方の構造物の位置が比較的大きく変化した場合であっても、目地における止水性能を確保できる。
【図面の簡単な説明】
【００１５】
【図１】第１実施形態に係る目地構造の断面を示す図である。
【図２】第２実施形態に係る目地構造の断面を示す図である。
【図３】第３実施形態に係る目地構造の断面を示す図である。
【図４】第３実施形態に係る目地構造の変形例を示す図である。
【図５】第１変形例に係る目地構造の断面を示す図である。
【図６】第２変形例に係る目地構造の断面を示す図である。
【図７】第３変形例に係る目地構造の断面を示す図である。
【図８】第４変形例に係る目地構造の断面を示す図である。
【図９】第５変形例に係る目地構造の断面を示す図である。
【発明を実施するための形態】
【００１６】
以下、添付図面を参照しながら本発明を実施するための形態を詳細に説明する。図面の説明において同一の要素には同一の符号を付し、重複する説明を省略する。
【００１７】
図１に示されるように、目地構造１は、水圧が作用する構造物、すなわち被圧水条件下に設置される構造物に適用される。このような構造物として、例えば、沈埋函、防波堤ケーソン、防潮堤、水路、シールドトンネル、及びボックスカルバートなどが挙げられる。
【００１８】
目地構造１は、第１のコンクリート壁２（第１の構造部材）と、第２のコンクリート壁３（第２の構造部材）とを含む。これらコンクリート壁２，３の間には、目地４が設けられている。そしてその目地４には、表面目地部６（止水部）と、縁切り部７（滑り部）と、バックアップ部８（支持部）とが設けられている。従って、目地構造１は、一対のコンクリート壁２，３と、表面目地部６と、縁切り部７と、バックアップ部８とを有する。
【００１９】
第１のコンクリート壁２は、水圧作用面である第１の表面２ａと、第１の裏面２ｂと、一対の第１の端面２ｃとを有する。第２のコンクリート壁３は、水圧作用面である第２の表面３ａと、第２の裏面３ｂと、一対の第２の端面３ｃとを有する。第１の表面２ａ及び第２の表面３ａは、例えば水又は水を含む地盤などに接触する面であり、水圧が作用する。この水圧は、例えば、０．１ＭＰａ以上０．３ＭＰａ以下である。第１の裏面２ｂ及び第２の裏面３ｂは、第１の表面２ａ及び第２の表面３ａに対して対向すると共に、気中に面する箇所であり、水圧が作用することはない。第１の端面２ｃは、第２の端面３ｃと対面する箇所である。第１の端面２ｃと第２の端面３ｃとの間には、目地４が形成される。この目地４によれば、地震などの外力が作用した時に発生するコンクリート壁２，３同士の相対的な位置の変化を許容し、コンクリート壁２，３を保護する。
【００２０】
表面目地部６は、第１の端面２ｃと第２の端面３ｃとに水密に取り付けられ、目地４における水密性を確保する。また、表面目地部６は、第１のコンクリート壁２に対する第２のコンクリート壁３の相対的な位置の変化に対応して変形する。この位置の変化には、目地４の幅Ｗ１が縮小又は拡大するように第１のコンクリート壁２に対して第２のコンクリート壁３が移動する変化と、第１のコンクリート壁２に対して第２のコンクリート壁３が垂直方向にずれるように移動する変化と、第１のコンクリート壁２に対して第２のコンクリート壁３が水平方向にずれるように移動する変化と、があり得る。表面目地部６は、これらの位置変化に対応して柔軟に変形し、第１の端面２ｃと第２の端面３ｃとにおける接着状態を維持することにより、水密性を確保する。
【００２１】
表面目地部６は、目地４において水圧が作用する第１の表面２ａ及び第２の表面３ａ側に配置されている。表面目地部６は、水圧作用面である第３の表面６ａと、第３の裏面６ｂとを有する。第３の表面６ａは、第１の表面２ａ及び第２の表面３ａと連続する面である。表面目地部６は、第３の表面６ａと第３の裏面６ｂとを連結する一対の第３の端面６ｃを有し、第３の端面６ｃのそれぞれが第１の端面２ｃ及び第２の端面３ｃに接着されている。表面目地部６の接着性を高めるために、第１の端面２ｃ及び第２の端面３ｃには接着用のプライマが必要に応じて塗布されている。
【００２２】
表面目地部６は、コンクリート壁２，３との接着性と、変形に対応するための変形追従性との観点から、高伸長性を有する樹脂材料が用いられる。この樹脂材料として、シリコーンが挙げられる。例えば、表面目地部６として用いられるシリコーンは、目地４の幅Ｗ１に対して１０倍程度の変形性能を有する。一例として、最大荷重時の伸び率が１０００％以上１２００％以下である。なお、シリコーンが有する伸び率は、これらの値に限定されることはない。
【００２３】
表面目地部６が許容可能な伸び量は、シリコーンの許容伸び率と、目地４の幅Ｗ１とによる。従って、想定される目地４の伸び量を設計条件として、当該伸び量を満たすようなシリコーンの許容伸び率と、目地４の幅Ｗ１とが設定される。表面目地部６は、流動性を有するシリコーン材料を目地４に流し込むことにより形成される。流動性を有するシリコーン材料は、硬化促進剤を含んでおり、目地４に隙間なく且つ容易に充填させることができるように、当該硬化促進剤の量が調整されている。
【００２４】
縁切り部７は、目地４において表面目地部６の第３の裏面６ｂ側に配置されている。縁切り部７は、表面目地部６の第３の裏面６ｂに接する第４の表面７ａと、第４の表面７ａと対向する第４の裏面７ｂとを有する。縁切り部７は、表面目地部６とバックアップ部８との縁を切るためのものである。従って、縁切り部７の第４の表面７ａと表面目地部６の第３の裏面６ｂとの間、及び、縁切り部７の第４の裏面７ｂと後述するバックアップ部８の第５の表面８ａとの間の少なくとも一方は、一方の面に対して他方の面が固定されておらず、一方の面に対して他方の面が滑る。なお、縁切り部７における一対の第４の端面７ｃは、コンクリート壁２，３の第１の端面２ｃ及び第２の端面３ｃにそれぞれ取り付けられていてもよいし、取り付けられていなくてもよい。縁切り部７には、例えば、ポリエチレンシートといったシート状の材料が用いられる。この構成によれば、目地４の幅Ｗ１が広がったとき、表面目地部６に生じる伸びと、縁切り部７とに生じる伸びとは一致しない。また、バックアップ部８に生じる伸びと、縁切り部７とに生じる伸びとは一致しない。
【００２５】
縁切り部７が配置されていることにより、表面目地部６は、いわゆる二面拘束と呼ばれる構成を有する。具体的には、表面目地部６における一対の第３の端面６ｃがそれぞれコンクリート壁２，３の第１の端面２ｃ及び第２の端面３ｃに拘束されているが、表面目地部６の第３の裏面６ｂが拘束されていない。
【００２６】
ここで、表面目地部６の伸び率とバックアップ部８の伸び率が異なる場合には、伸びに対して発生する内部応力が異なる。表面目地部６とバックアップ部８とが互いに接着されている場合には、この内部応力の差に起因して、一方が他方に影響を及ぼすことが想定される。本実施形態の目地構造１では、表面目地部６とバックアップ部８とは縁が切られているので、内部応力の差に起因して一方が他方に影響を及ぼすことがない。
【００２７】
バックアップ部８は、目地４において縁切り部７の第４の裏面７ｂ側に配置されている。バックアップ部８は、縁切り部７の第４の裏面に接する第５の表面８ａと、第５の表面８ａと対向する第５の裏面８ｂとを有する。また、第５の表面８ａと第５の裏面８ｂとの間における一対の第５の端面８ｃは、第１の端面２ｃ及び第２の端面３ｃにそれぞれ接着されている。また、バックアップ部８は、表面目地部６と同等の許容可能な伸び量を有する。上述したように、この伸び量は、バックアップ部８を構成する材料の許容伸び率と、目地４の幅Ｗ１とによる。従って、想定される目地４の伸び量を設計条件として、バックアップ部８を構成する材料の許容伸び率と、目地４の幅Ｗ１とが設定される。バックアップ部８に用いられる材料として、例えば、発泡合成樹脂や高流動シリコーンが挙げられる。発泡合成樹脂は、第１のコンクリート壁２と第２のコンクリート壁３との間の位置変化が小さいと予想される箇所に用いることができる。また、高流動シリコーンは、第１のコンクリート壁２と第２のコンクリート壁３との間の位置変化が大きいと予想される箇所に用いることができる。
【００２８】
表面目地部６に水圧が作用したとき、表面目地部６はその厚さ方向に沿って変形する。バックアップ部８は、水圧に起因する表面目地部６のこの変形を妨げるためのものである。従って、単位入力あたりのバックアップ部８の変形量は、表面目地部６の変形量よりも小さい。このような構成として、例えば、表面目地部６の材料が有するヤング率よりも大きいヤング率を有する材料を、バックアップ部８の構成材料として選択してもよい。すなわち、表面目地部６の材料よりも堅い材料を選択してもよい。また、バックアップ部８の厚みを表面目地部６の厚みよりも大きくしてもよい。すなわち、バックアップ部８の断面形状に基づく断面二次モーメントを高めるような形状としてもよい。
【００２９】
目地構造１では、一対のコンクリート壁２，３の間に目地４が形成されている。当該目地４には、水圧が作用する側から表面目地部６と縁切り部７とバックアップ部８とがこの順に配置されている。縁切り部７は、一対のコンクリート壁２，３に対して水密に取り付けられているので、目地構造１は表面目地部６によって止水性を確保できる。ここで、第１のコンクリート壁２に対して第２のコンクリート壁３の位置が変化した場合に、止水性を確保し続けるためには、表面目地部６が位置変化に対応して変形する必要がある。このような変形によれば、第１のコンクリート壁２における第１の端面２ｃと表面目地部６との間の水密状態を確保し続けることができる。また、このような変形によれば、第２のコンクリート壁３の第２の端面３ｃと表面目地部６との間の水密状態とが確保されるので、止水性を確保し続けることができる。
【００３０】
一対のコンクリート壁２，３の間における比較的大きい位置の変化に対応するためには、表面目地部６の許容可能な伸び量を高めればよい。一方、表面目地部６の伸び量が高い場合には、表面目地部６の第３の表面６ａに水圧が作用したときに表面目地部６が変形しやすくなり、コンクリート壁２，３と表面目地部６との水密状態を確保できなくなる虞がある。しかし、この目地構造１では、水圧による表面目地部６の変形がバックアップ部８によって妨げられるので、伸び量の高い表面目地部６を適用しても第１のコンクリート壁２と表面目地部６との水密状態及び第２のコンクリート壁３と表面目地部６との水密状態を確保し続けることができる。従って、バックアップ部８を備える目地構造によれば、表面目地部６の伸び量を高めることができるので、比較的大きい第１のコンクリート壁２と第２のコンクリート壁３の位置変化が生じたときに止水性を確保し続けることができる。
【００３１】
さらに、表面目地部６とバックアップ部８との間には縁切り部７が設けられているので、第１のコンクリート壁２に対する第２のコンクリート壁３の位置変化に起因して表面目地部６が変形するとき、表面目地部６はバックアップ部８に対して縁切り部７によって縁が切られた状態である。従って、表面目地部６の変形に対してバックアップ部８の変形が影響を及ぼすことがない。よって、表面目地部６とバックアップ部８との間に縁切り部７を備える目地構造１によれば、表面目地部６における高い伸び量を確保することができるので、比較的大きいコンクリート壁２，３の位置変化が生じたときに止水性をより良好に確保し続けることができる。
【００３２】
バックアップ部８の剛性は、表面目地部６部の剛性よりも大きい。この構成によれば、剛性が高いバックアップ部８の方が表面目地部６よりも変形しにくい。従って、水圧に起因する表面目地部６の変形を良好に妨げることができる。
【００３３】
表面目地部６は、シリコーンにより形成されている。シリコーンにより形成された表面目地部６によれば、高い伸び率を確保することができる。
【００３４】
バックアップ部８は、目地４に充填された樹脂材料により形成されている。第１のコンクリート壁２に対する第２のコンクリート壁３の位置変化は、第１の端面２ｃに対して第２の端面３ｃが離間又は近接する変化と、第１の端面２ｃに対して第２の端面３ｃが鉛直方向にずれる変化と、第１の端面２ｃに対して第２の端面３ｃが水平方向にずれる変化と、を含む。目地４に樹脂材料が充填されたバックアップ部８によれば、これら３つの態様を含む位置変化に良好に対応することができる。
【００３５】
また、本実施形態に係る目地構造１は、ボックスカルバートのように閉合された目地の場合や、防潮堤のように閉合されない目地の場合にも端部の止水処理を容易に行うことができる。
【００３６】
また、縁切り部７上に表面目地部６が形成されているので、目地構造１を補修する際に、表面目地部６を容易に取り除くことが可能である。従って、目地構造１の補修を容易に行うことができる。
【００３７】
＜第２実施形態＞
次に、第２実施形態に係る目地構造にについて説明する。図２に示されるように、第２実施形態に係る目地構造１Ａは、目地４における表面目地部６Ａの構成が第１実施形態に係る目地構造１と相違する。縁切り部７とバックアップ部８とについては、第１実施形態と同様である。表面目地部６Ａの幅Ｗ２は、縁切り部７及びバックアップ部８の幅Ｗ１とは異なる。具体的には、表面目地部６の幅Ｗ２は、縁切り部７及びバックアップ部８の幅Ｗ１より大きい。
【００３８】
プレキャスト製の第１のコンクリート壁２Ａにおける第１の端面２ｃは、第１の止水取付部９ａと、第１の支持取付部９ｂと、を有する。第１の止水取付部９ａは、第１の表面２ａの側に設けられ、表面目地部６Ａが取り付けられる。第１の支持取付部９ｂは、バックアップ部８が取り付けられる。同様に、第２のコンクリート壁３Ａにおける第２の端面３ｃは、第２の止水取付部１１ａと、第２の支持取付部１１ｂと、を有する。第２の止水取付部１１ａは、第２の表面３ａの側に設けられ、表面目地部６Ａが取り付けられる。また、第２の止水取付部１１ａは、第１の止水取付部９ａと対面する。第２の支持取付部１１ｂは、バックアップ部８が取り付けられ、第１の支持取付部９ｂと対面する。
【００３９】
第１の止水取付部９ａから第２の止水取付部１１ａまでの距離（幅Ｗ２）は、第１の支持取付部９ｂから第２の支持取付部１１ｂまでの距離（幅Ｗ１）よりも長い。従って、第１の止水取付部９ａ及び第１の支持取付部９ｂによれば、第１のコンクリート壁２Ａには第１の切り欠き部２ｄが形成される。また、第２の止水取付部１１ａ及び第２の支持取付部１１ｂによれば、第２のコンクリート壁３Ａには第２の切り欠き部３ｄが形成される。
【００４０】
表面目地部６Ａは、第１の止水取付部９ａと第２の止水取付部１１ａとに接着されている。さらに、表面目地部６Ａは、第１の止水取付部９ａと第１の支持取付部９ｂとの間に形成された第１の切り欠き部２ｄと、第２の止水取付部１１ａと第２の支持取付部１１ｂとの間に形成された第２の切り欠き部３ｄと、にも接着されている。
【００４１】
目地構造１Ａによれば、表面目地部６Ａは、コンクリート壁２Ａ，３Ａに対して端面同士の接着に加えて、表面目地部６Ａにおける第３の裏面６ｂの一部が第１の切り欠き部２ｄと第２の切り欠き部３ｄとに接着されている。接着面積が増加すると、コンクリート壁２Ａ，３Ａに対する表面目地部６Ａの取付強度が高まる。従って、コンクリート壁２Ａ，３Ａに位置変化が生じたときに表面目地部６Ａとコンクリート壁２Ａ，３Ａとの間の止水性を好適に確保し続けることができる。
【００４２】
＜第３実施形態＞
次に、第３実施形態に係る目地構造について説明する。図３に示されるように、第３実施形態に係る目地構造１Ｂは、目地４における縁切り部７Ｂとバックアップ部８Ｂの構成が第１実施形態に係る目地構造１と相違する。表面目地部６Ｂは、縁切り部７Ｂ及びバックアップ部８Ｂとは異なる幅を有する。具体的には、表面目地部６Ｂの幅Ｗ２は、縁切り部７Ｂ及びバックアップ部８Ｂの幅Ｗ１より小さい。
【００４３】
プレキャスト製の第１のコンクリート壁２Ｂにおける第１の端面２ｃは、第３の止水取付部１２ａと、第３の支持取付部１２ｂと、を有する。第３の止水取付部１２ａは、第１の表面２ａの側に設けられ、表面目地部６Ｂが取り付けられる。第３の支持取付部１２ｂは、バックアップ部８Ｂが取り付けられる。同様に、第２のコンクリート壁３Ｂにおける第２の端面３ｃは、第４の止水取付部１３ａと、第４の支持取付部１３ｂと、を有する。第４の止水取付部１３ａは、第２の表面３ａの側に設けられ、表面目地部６Ｂが取り付けられる。また、第４の止水取付部１３ａは、第３の止水取付部１２ａと対面する。第４の支持取付部１３ｂは、バックアップ部８Ｂが取り付けられ、第３の支持取付部１２ｂと対面する。
【００４４】
第３の止水取付部１２ａから第４の止水取付部１３ａまでの距離（幅Ｗ２）は、第３の支持取付部１２ｂから第４の支持取付部１３ｂまでの距離（幅Ｗ１）よりも短い。
【００４５】
ここで、表面目地部６Ｂ及びバックアップ部８Ｂの伸び量は、それぞれの材料が有する伸び率と幅Ｗ１，Ｗ２とに基づく。この構造によれば、第３の支持取付部１２ｂと第４の支持取付部１３ｂとの間に設けられたバックアップ部８Ｂの幅Ｗ１は、第３の止水取付部１２ａと第４の止水取付部１３ａとの間に設けられた表面目地部６Ｂの幅Ｗ２よりも大きい。そうすると、バックアップ部８Ｂの伸び率が表面目地部６Ｂの伸び率と同じ場合には、変形に起因してバックアップ部８Ｂに生じる負荷が小さくなる。従って、第１のコンクリート壁２Ｂに対するバックアップ部８Ｂの取付状態、及び第２のコンクリート壁３Ｂに対するバックアップ部８Ｂの取付状態を良好に維持すると共にバックアップ部８Ｂ自身の損傷を防止することができる。
【００４６】
また、バックアップ部８Ｂの幅Ｗ１が表面目地部６Ｂの幅Ｗ２よりも大きいので、バックアップ部８Ｂの許容可能な伸び量を設定する場合、表面目地部６Ｂの伸び率よりも小さい伸び率を有する材料を選択することが可能になる。従って、バックアップ部８Ｂを構成する材料の選択が容易になる。
【００４７】
なお、第３の止水取付部１２ａ及び第４の止水取付部１３ａは、コンクリート壁２Ｂ，３Ｂに形成されたものに限定されない。例えば、図４に示されるように第３の止水取付部１２ａ及び第４の止水取付部１３ａは、コンクリート壁２，３の第１の表面２ａ及び第２の表面３ａ上に配置された金属製の板材によって構成されてもよい。この構成では、一対のコンクリート壁２，３の間に形成された目地４の幅Ｗ１よりも、鋼製である一対の金属板１４の間における幅Ｗ３を小さくすればよい。この構成によれば、施工が容易になる。
【００４８】
なお、上述した実施形態は本発明に係る目地構造の一例を示すものである。本発明に係る目地構造は、実施形態に係る目地構造に限られるものではなく、各請求項に記載した要旨を変更しない範囲で、変形し又は他のものに適用したものであってもよい。
【００４９】
＜第１変形例＞
例えば、図５に示されるように、第１変形例に係る目地構造１Ｄは、第１のコンクリート壁２Ｄが端面鋼鈑１６（金属板）を有していてもよい。第１のコンクリート壁２Ｄは、第１の表面２ａを含むコンクリート製の本体部１７と、第１の端面２ｃを含む端面鋼鈑１６と、を有する。表面目地部６における第３の端面６ｃは、端面鋼鈑１６に対して水密に取り付けられている。同様に、バックアップ部８は、端面鋼鈑１６に対して取り付けられている。ところで、目地構造を施工するときには、表面目地部やバックアップ部などをコンクリート壁に接着するので、それぞれのコンクリート壁は接着可能な程度に硬化している必要がある。そうすると、一方のコンクリート壁が既設であって、他方のコンクリート壁を新設したときには、コンクリート壁を打設した後に接着可能な程度に硬化するまでの待ち時間が発生することがあり得る。しかし、第１変形例に係る目地構造１Ｄは、第１のコンクリート壁２Ｄが端面鋼鈑１６を有し、端面鋼鈑１６が第１の端面２ｃを形成する。従って、表面目地部６及びバックアップ部８を取り付け可能な程度に第１のコンクリート壁２Ｄの本体部１７が硬化する時間よりも早く、表面目地部６及びバックアップ部８を第１のコンクリート壁２Ｄに対して取り付ける施工が可能になる。従って、目地構造１Ｄの施工期間を短縮することができる。
【００５０】
＜第２変形例＞
例えば、図６に示されるように、第２変形例に係る目地構造１Ｅは、一対のコンクリート壁２Ｅ，３Ｅが脱落防止用の突起１８，１９を有していてもよい。突起１８は、第１のコンクリート壁２Ｅにおける第１の裏面２ｂの側に設けられている。そして、突起１８は、第１の端面２ｃから第２の端面３ｃに向かって突出している。また、突起１９は、第２のコンクリート壁３Ｅにおける第２の裏面３ｂの側に設けられている。そして、突起１９は、第２の端面３ｃから第１の端面２ｃに向かって突出している。突起１８，１９の間に形成される隙間は、想定されるコンクリート壁２Ｅ，３Ｅの位置変化の大きさよりも大きくなるように設定される。この構成によれば、水圧が作用したときにおけるバックアップ部８の脱落を防止できると共に、バックアップ部８の剛性を高めることに寄与し得る。
【００５１】
＜第３変形例＞
例えば、図７に示されるように、第３変形例に係る目地構造１Ｆは、バックアップ部８Ｆが空隙部２１を含んでいてもよい。この空隙部２１は、例えば塩ビパイプなどにより形成される。バックアップ部８Ｆの厚みは、表面目地部６の厚みよりも大きくなることがあり得るので、バックアップ部８Ｆの形成には多量の樹脂材料を必要とする。そこで、この空隙部２１によれば、バックアップ部８Ｆの形成に要する樹脂材料を低減することが可能になる。また、塩ビパイプなどは、バックアップ部８Ｆよりも剛性が高いので、バックアップ部８Ｆにおける表面目地部６の支持能力を高めることができる。
【００５２】
＜第４変形例＞
例えば、図８に示されるように、第４変形例に係る目地構造１Ｇは、バックアップ部８Ｇが、複数のバックアップ層２２と縁切り層２３とを有する積層構造を有していてもよい。バックアップ層２２が表面目地部６と同程度の厚みとされることにより、位置変化の追従性をより高めることができる。
【００５３】
＜第５変形例＞
例えば、図９に示されるように、第５変形例に係る目地構造１Ｈは、バックアップ部８Ｈが複数の発泡合成樹脂部２４を含んでいてもよい。発泡合成樹脂部２４は、目地４の奥行方向に互いに離間して複数配置されている。この構成によっても、第４変形例に係る目地構造１と同様に、位置変化の追従性をより高めることができる。
【符号の説明】
【００５４】
１…目地構造、２…第１のコンクリート壁（第１の構造部材）、２ａ…第１の表面、２ｄ…第１の切り欠き部、３…第２のコンクリート壁（第２の構造部材）、３ａ…第２の表面、３ｄ…第２の切り欠き部、４…目地、６…表面目地部（止水部）、６ａ…第３の表面、７…縁切り部（滑り部）、８…バックアップ部（支持部）、９ａ…第１の止水取付部、９ｂ…第１の支持取付部、１１ａ…第２の止水取付部、１１ｂ…第２の支持取付部、１２ａ…第３の止水取付部、１２ｂ…第３の支持取付部、１３ａ…第４の止水取付部、１３ｂ…第４の支持取付部、１４…金属板、１６…端面鋼鈑（金属板）、１７…本体部。
【図１】
0006654912.tif 000002
【図２】
0006654912.tif 000003
【図３】
0006654912.tif 000004
【図４】
0006654912.tif 000005
【図５】
0006654912.tif 000006
【図６】
0006654912.tif 000007
【図７】
0006654912.tif 000008
【図８】
0006654912.tif 000009
【図９】
0006654912.tif 000010